【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
デバイスにおけるワイヤレス通信の方法であって、
要求元から要求を受信するステップであって、前記要求が、1次持続時間に従って前記要求元に情報を送信するように前記デバイスに要求する、ステップと、
前記要求元に前記情報を送信するための前記1次持続時間内の少なくとも1つの2次持続時間を決定するステップと、
前記要求に応答して前記要求元に前記情報を送信するように、前記少なくとも1つの2次持続時間内の送信時間を、前記少なくとも1つの2次持続時間の通信実行可能性判定間隔の間にスケジュールするステップであって、前記スケジューリングが前記デバイスに知られている追加情報に基づく、ステップと
を含み、
前記送信時間をスケジュールするステップは、
前記通信実行可能性判定間隔の間に、ネットワーク負荷または通信リンクのうち少なくとも1つを含むネットワーク挙動を判断するステップと、
前記決定されたネットワーク挙動に基づいて前記情報を前記要求元に送信するように前記送信時間のスケジューリングを調整するステップと、
前記スケジュールされた送信時間を前記要求元に送信するステップと、
を含む、方法。
【請求項２】
前記要求が、前記送信時間を決定するためのランダム化プロセスを実行するように、前記デバイスにさらに要求する、請求項1に記載の方法。
【請求項３】
前記少なくとも1つの2次持続時間を前記決定するステップが、前記要求元によって要求された前記ランダム化プロセスに基づく、請求項2に記載の方法。
【請求項４】
前記追加情報が、デバイス状態、またはネットワーク事業者ポリシーのうちの少なくとも1つを含む、請求項1に記載の方法。
【請求項５】
前記デバイス状態が、デバイス電力消費量またはデバイス起動スケジュールのうちの少なくとも1つを含む、請求項4に記載の方法。
【請求項６】
前記1次持続時間が、1つまたは複数の不連続な時間間隔のセットを含む、請求項1に記載の方法。
【請求項７】
前記スケジュールするステップが、前記デバイスに知られている前記追加情報に基づいて前記1次持続時間の間に前記情報を送信するために、制約の不在を判定するステップを含み、前記方法が、
前記制約の前記不在に基づいて前記要求元に前記1次持続時間の間に前記情報を送信するステップ
をさらに含む、請求項1に記載の方法。
【請求項８】
前記スケジュールするステップが、前記デバイスに知られている前記追加情報に基づいて前記1次持続時間の間に前記情報を送信するために、制約を判定するステップを含み、前記方法が、
前記制約に基づいて前記1次持続時間の間に前記情報を送信することを控えるステップをさらに含む、請求項1に記載の方法。
【請求項９】
前記要求が高優先度要求であり、前記スケジュールするステップが、前記デバイスに知られている前記追加情報に基づいて前記1次持続時間の間に前記情報を送信するために、制約を判定するステップを含み、前記方法が、
前記1次持続時間の終わり近くまで前記情報を送信することを待つステップと、
前記1次持続時間の前記終わり近くで前記情報を送信するステップと
をさらに含む、請求項1に記載の方法。
【請求項１０】
前記要求が、前記1次持続時間内に前記情報を送信するための最小待機時間および最大待機時間を含み、前記少なくとも1つの2次持続時間が、前記最小待機時間および前記最大待機時間に基づいて決定される、請求項1に記載の方法。
【請求項１１】
前記ネットワーク挙動はネットワーク負荷または通信リンクのうち少なくとも1つを含む、請求項1に記載の方法。
【請求項１２】
前記送信するステップは、前記判断されたネットワーク挙動または前記送信時間のうちの少なくとも1つを送信するステップをさらに含む、請求項11に記載の方法。
【請求項１３】
前記2次持続時間は、前記通信実行可能性判定間隔と、前記情報を前記要求元に送信するための要求元対話間隔を含む、請求項1に記載の方法。
【請求項１４】
要求元におけるワイヤレス通信の方法であって、前記要求元はマシンツーマシンサービスエンティティであり、前記方法は、
複数のメッセージを複数のマシンツーマシン通信デバイスに送信するための指示を受信するステップと、
前記複数のマシンツーマシン通信デバイスと通信するための持続時間を決定するステップと、
前記持続時間に関連付けられた情報を取得するための前記複数のメッセージのうち少なくとも1つを、前記複数のマシンツーマシン通信デバイスのうち少なくとも1つに送信するステップと、
前記複数のマシンツーマシン通信デバイスのうち少なくとも1つから、前記複数のマシンツーマシン通信デバイスのうち前記少なくとも1つにより検出されたネットワーク挙動に基づいて前記複数のマシンツーマシン通信デバイスのうち前記少なくとも1つによりスケジュールされた送信時間を受信するステップと、
前記複数のマシンツーマシン通信デバイスと通信するために前記持続時間内に前記送信時間を含むスケジュールを決定するステップと、
前記スケジュールに従って前記複数のマシンツーマシン通信デバイスのうち前記少なくとも1つと通信するステップと、
を含む、方法。
【請求項１５】
前記複数のメッセージは要求を含み、前記要求が、前記持続時間内の送信時間を決定するためのランダム化プロセスを実行するように、前記複数のマシンツーマシン通信デバイスにさらに要求する、請求項14に記載の方法。
【請求項１６】
前記複数のメッセージは要求を含み、前記要求が、前記持続時間内に前記情報を送信するための最小待機時間および最大待機時間を含む、請求項14に記載の方法。
【請求項１７】
前記持続時間が、
通信コスト、
ネットワーク状態、または
ネットワーク事業者ポリシー
のうちの少なくとも1つに基づいて決定される、請求項14に記載の方法。
【請求項１８】
前記複数のメッセージは要求を含み、前記要求が、ユニキャストメッセージまたはマルチキャストメッセージのうちの少なくとも1つを介して送信される、請求項14に記載の方法。
【請求項１９】
前記持続時間が、1つまたは複数の不連続な時間間隔のセットを含む、請求項14に記載の方法。
【請求項２０】
ワイヤレス通信のためのデバイスであって、
要求元から要求を受信するための手段であって、前記要求が、1次持続時間に従って前記要求元に情報を送信するように前記デバイスに要求する、手段と、
前記要求元に前記情報を送信するための前記1次持続時間内の少なくとも1つの2次持続時間を決定するための手段と、
前記要求に応答して前記要求元に前記情報を送信するように、前記少なくとも1つの2次持続時間内の送信時間を、前記少なくとも1つの2次持続時間の通信実行可能性判定間隔の間にスケジュールするための手段であって、前記スケジューリングが前記デバイスに知られている追加情報に基づく、手段と
を備え、
前記送信時間をスケジュールする手段は、
前記通信実行可能性判定間隔の間に、ネットワーク負荷または通信リンクのうち少なくとも1つを含むネットワーク挙動を判断する手段と、
前記決定されたネットワーク挙動に基づいて前記情報を前記要求元に送信するように前記送信時間のスケジューリングを調整する手段と、
前記スケジュールされた送信時間を前記要求元に送信する手段と、
を備える、デバイス。
【請求項２１】
前記要求が、前記送信時間を決定するためのランダム化プロセスを実行するように、前記デバイスにさらに要求する、請求項20に記載のデバイス。
【請求項２２】
前記決定するための手段が、前記要求元によって要求された前記ランダム化プロセスに基づいて、前記少なくとも1つの2次持続時間を決定するように構成された、請求項21に記載のデバイス。
【請求項２３】
前記追加情報が、ネットワーク状態、またはネットワーク事業者ポリシーのうちの少なくとも1つを含む、請求項20に記載のデバイス。
【請求項２４】
前記デバイス状態が、デバイス電力消費量またはデバイス起動スケジュールのうちの少なくとも1つを含む、請求項23に記載のデバイス。
【請求項２５】
前記1次持続時間が、1つまたは複数の不連続な時間間隔のセットを含む、請求項20に記載のデバイス。
【請求項２６】
前記スケジュールするための手段が、前記デバイスに知られている前記追加情報に基づいて前記1次持続時間の間に前記情報を送信するために、制約の不在を判定するように構成され、前記デバイスが、
前記制約の前記不在に基づいて前記要求元に前記1次持続時間の間に前記情報を送信するための手段
をさらに備える、請求項20に記載のデバイス。
【請求項２７】
前記スケジュールするための手段が、前記デバイスに知られている前記追加情報に基づいて前記1次持続時間の間に前記情報を送信するために、制約を判定するように構成され、前記デバイスが、
前記制約に基づいて前記1次持続時間の間に前記情報を送信することを控えるための手段をさらに備える、請求項20に記載のデバイス。
【請求項２８】
前記要求が高優先度要求であり、前記スケジュールするための手段が、前記デバイスに知られている前記追加情報に基づいて前記1次持続時間の間に前記情報を送信するために、制約を判定するように構成され、前記デバイスが、
前記1次持続時間の終わり近くまで前記情報を送信することを待つための手段と、
前記1次持続時間の前記終わり近くで前記情報を送信するための手段と
をさらに備える、請求項20に記載のデバイス。
【請求項２９】
前記要求が、前記1次持続時間内に前記情報を送信するための最小待機時間および最大待機時間を含み、前記決定するための手段が、前記最小待機時間および前記最大待機時間に基づいて、前記少なくとも1つの2次持続時間を決定するように構成された、請求項20に記載のデバイス。
【請求項３０】
前記ネットワーク挙動はネットワーク負荷または通信リンクのうち少なくとも1つを含む、請求項20に記載のデバイス。
【請求項３１】
前記送信するための手段は、前記判断されたネットワーク挙動または前記送信時間のうちの少なくとも1つを送信するための手段をさらに備える、請求項20に記載のデバイス。
【請求項３２】
ワイヤレス通信のための要求元であって、前記要求元はマシンツーマシンサービスエンティティであり、
複数のメッセージを複数のマシンツーマシン通信デバイスに送信するための指示を受信するための手段と、
前記複数のマシンツーマシン通信デバイスと通信するための持続時間を決定するための手段と、
前記持続時間に関連付けられた情報を取得するための前記複数のメッセージのうち少なくとも1つを、前記複数のマシンツーマシン通信デバイスのうち少なくとも1つに送信するための手段と、
前記複数のマシンツーマシン通信デバイスのうち少なくとも1つから、前記複数のマシンツーマシン通信デバイスのうち前記少なくとも1つにより検出されたネットワーク挙動に基づいて前記複数のマシンツーマシン通信デバイスのうち前記少なくとも1つによりスケジュールされた送信時間を受信するための手段と、
前記複数のマシンツーマシン通信デバイスと通信するために前記持続時間内に前記送信時間を含むスケジュールを決定するための手段と、
前記スケジュールに従って前記複数のマシンツーマシン通信デバイスのうち前記少なくとも1つと通信するための手段と、
を備える、要求元。
【請求項３３】
前記複数のメッセージは要求を含み、前記要求が、前記持続時間内の送信時間を決定するためのランダム化プロセスを実行するように、前記複数のマシンツーマシン通信デバイスにさらに要求する、請求項32に記載の要求元。
【請求項３４】
前記複数のメッセージは要求を含み、前記要求が、前記持続時間内に前記情報を送信するための最小待機時間および最大待機時間を含む、請求項32に記載の要求元。
【請求項３５】
前記持続時間が、
通信コスト、
ネットワーク状態、または
ネットワーク事業者ポリシー
のうちの少なくとも1つに基づいて決定される、請求項32に記載の要求元。
【請求項３６】
前記複数のメッセージは要求を含み、前記要求が、ユニキャストメッセージまたはマルチキャストメッセージのうちの少なくとも1つを介して送信される、請求項32に記載の要求元。
【請求項３７】
前記持続時間が、1つまたは複数の不連続な時間間隔のセットを含む、請求項32に記載の要求元。
【請求項３８】
ワイヤレス通信のためのデバイスであって、
メモリ、および
前記メモリに結合され、
要求元から要求を受信することであって、前記要求が、1次持続時間に従って前記要求元に情報を送信するように前記デバイスに要求する、受信することと、
前記要求元に前記情報を送信するための前記1次持続時間内の少なくとも1つの2次持続時間を決定することと、
前記要求に応答して前記要求元に前記情報を送信するように、前記少なくとも1つの2次持続時間内の送信時間を、前記少なくとも1つの2次持続時間の通信実行可能性判定間隔の間にスケジュールすることであって、前記スケジューリングが前記デバイスに知られている追加情報に基づく、スケジュールすることと
を行うように構成された、少なくとも1つのプロセッサを備え、
前記送信時間をスケジュールするために、前記少なくとも1つのプロセッサはさらに、
前記通信実行可能性判定間隔の間に、ネットワーク負荷または通信リンクのうち少なくとも1つを含むネットワーク挙動を判断し、
前記決定されたネットワーク挙動に基づいて前記情報を前記要求元に送信するように前記送信時間のスケジューリングを調整し、
前記スケジュールされた送信時間を前記要求元に送信する、
ように構成される、
デバイス。
【請求項３９】
前記要求が、前記送信時間を決定するためのランダム化プロセスを実行するように、前記デバイスにさらに要求する、請求項38に記載のデバイス。
【請求項４０】
前記少なくとも1つのプロセッサが、前記要求元によって要求された前記ランダム化プロセスに基づいて、前記少なくとも1つの2次持続時間を決定するように構成された、請求項39に記載のデバイス。
【請求項４１】
前記追加情報が、デバイス状態、またはネットワーク事業者ポリシーのうちの少なくとも1つを含む、請求項39に記載のデバイス。
【請求項４２】
前記デバイス状態が、デバイス電力消費量またはデバイス起動スケジュールのうちの少なくとも1つを含む、請求項41に記載のデバイス。
【請求項４３】
前記1次持続時間が、1つまたは複数の不連続な時間間隔のセットを含む、請求項39に記載のデバイス。
【請求項４４】
前記スケジュールするように構成された少なくとも1つのプロセッサが、前記デバイスに知られている前記追加情報に基づいて前記1次持続時間の間に前記情報を送信するために、制約の不在を判定するように構成され、前記少なくとも1つのプロセッサが、
前記制約の前記不在に基づいて前記要求元に前記1次持続時間の間に前記情報を送信すること
を行うようにさらに構成された、請求項39に記載のデバイス。
【請求項４５】
前記スケジュールするように構成された少なくとも1つのプロセッサが、前記デバイスに知られている前記追加情報に基づいて前記1次持続時間の間に前記情報を送信するために、制約を判定するように構成され、前記少なくとも1つのプロセッサが、
前記制約に基づいて前記1次持続時間の間に前記情報を送信することを控えること
を行うようにさらに構成された、請求項39に記載のデバイス。
【請求項４６】
前記要求が高優先度要求であり、前記スケジュールするように構成された少なくとも1つのプロセッサが、前記デバイスに知られている前記追加情報に基づいて前記1次持続時間の間に前記情報を送信するために、制約を判定するように構成され、前記少なくとも1つのプロセッサが、
前記1次持続時間の終わり近くまで前記情報を送信することを待つことと、
前記1次持続時間の前記終わり近くで前記情報を送信することと
を行うようにさらに構成された、請求項39に記載のデバイス。
【請求項４７】
前記要求が、前記1次持続時間内に前記情報を送信するための最小待機時間および最大待機時間を含み、前記少なくとも1つのプロセッサが、前記最小待機時間および前記最大待機時間に基づいて、前記少なくとも1つの2次持続時間を決定するように構成された、請求項39に記載のデバイス。
【請求項４８】
前記ネットワーク挙動はネットワーク負荷または通信リンクのうち少なくとも1つを含む、請求項39に記載のデバイス。
【請求項４９】
前記送信するステップは、前記判断されたネットワーク挙動または前記送信時間のうちの少なくとも1つを送信するステップをさらに含む、請求項39に記載のデバイス。
【請求項５０】
ワイヤレス通信のための要求元であって、
メモリ、および
前記メモリに結合され、
複数のメッセージを複数のマシンツーマシン通信デバイスに送信するための指示を受信することと、
前記複数のマシンツーマシン通信デバイスと通信するための持続時間を決定することと、
前記持続時間に関連付けられた情報を取得するための前記複数のメッセージのうち少なくとも1つを、前記複数のマシンツーマシン通信デバイスのうち少なくとも1つに送信することと、
前記複数のマシンツーマシン通信デバイスのうち少なくとも1つから、前記複数のマシンツーマシン通信デバイスのうち前記少なくとも1つにより検出されたネットワーク挙動に基づいて前記複数のマシンツーマシン通信デバイスのうち前記少なくとも1つによりスケジュールされた送信時間を受信することと、
前記複数のマシンツーマシン通信デバイスと通信するために前記持続時間内に前記送信時間を含むスケジュールを決定することと、
前記スケジュールに従って前記複数のマシンツーマシン通信デバイスのうち前記少なくとも1つと通信することと、
を行うように構成された、少なくとも1つのプロセッサを備える、要求元。
【請求項５１】
前記複数のメッセージは要求を含み、前記要求が、前記持続時間内の送信時間を決定するためのランダム化プロセスを実行するように、前記複数のマシンツーマシン通信デバイスにさらに要求する、請求項50に記載の要求元。
【請求項５２】
前記複数のメッセージは要求を含み、前記要求が、前記持続時間内に前記情報を送信するための最小待機時間および最大待機時間を含む、請求項50に記載の要求元。
【請求項５３】
前記持続時間が、
通信コスト、
ネットワーク状態、または
ネットワーク事業者ポリシー
のうちの少なくとも1つに基づいて決定される、請求項50に記載の要求元。
【請求項５４】
前記複数のメッセージは要求を含み、前記要求が、ユニキャストメッセージまたはマルチキャストメッセージのうちの少なくとも1つを介して送信される、請求項50に記載の要求元。
【請求項５５】
前記持続時間が、1つまたは複数の不連続な時間間隔のセットを含む、請求項50に記載の要求元。
【請求項５６】
コンピュータ可読記憶媒体であって、
要求元から要求を受信することであって、前記要求が、1次持続時間に従って前記要求元に情報を送信するようにデバイスに要求する、受信することと、
前記要求元に前記情報を送信するための前記1次持続時間内の少なくとも1つの2次持続時間を決定することと、
前記要求に応答して前記要求元に前記情報を送信するように、前記少なくとも1つの2次持続時間内の送信時間を、前記少なくとも1つの2次持続時間の通信実行可能性判定間隔の間にスケジュールすることであって、前記スケジューリングが前記デバイスに知られている追加情報に基づく、スケジュールすることと
を行うためのコードを備えたコンピュータ実行可能コードを記憶し、
前記送信時間をスケジュールすることは、
前記通信実行可能性判定間隔の間に、ネットワーク負荷または通信リンクのうち少なくとも1つを含むネットワーク挙動を判断することと、
前記決定されたネットワーク挙動に基づいて前記情報を前記要求元に送信するように前記送信時間のスケジューリングを調整することと、
前記スケジュールされた送信時間を前記要求元に送信することと、
を含む、コンピュータ可読記憶媒体。
【請求項５７】
要求元のコンピュータ可読記憶媒体であって、
複数のメッセージを複数のマシンツーマシン通信デバイスに送信するための指示を受信することと、
前記複数のマシンツーマシン通信デバイスと通信するための持続時間を決定することと、
前記持続時間に関連付けられた情報を取得するための前記複数のメッセージのうち少なくとも1つを、前記複数のマシンツーマシン通信デバイスのうち少なくとも1つに送信することと、
前記複数のマシンツーマシン通信デバイスのうち少なくとも1つから、前記複数のマシンツーマシン通信デバイスのうち前記少なくとも1つにより検出されたネットワーク挙動に基づいて前記複数のマシンツーマシン通信デバイスのうち前記少なくとも1つによりスケジュールされた送信時間を受信することと、
前記複数のマシンツーマシン通信デバイスと通信するために前記持続時間内に前記送信時間を含むスケジュールを決定することと、
前記スケジュールに従って前記複数のマシンツーマシン通信デバイスのうち前記少なくとも1つと通信することと、
を行うためのコードを備える、ワイヤレス通信用のコンピュータ実行可能コードを記憶する、要求元のコンピュータ可読記憶媒体。